(57)【特許請求の範囲】
【請求項１】
一対の口金ピンを端部に備えた直管形ランプを装着するランプソケットにおいて、
前面部と側面部と前記前面部と対向する後面部とを有する回転子であって、前記前面部から前記一対の口金ピンが挿入されるとともに前記一対の口金ピンの各口金ピンの一部が前記側面部から露出する回転子と、
前記回転子を挟むように設けられた一対の導電金具であって、前記回転子が回転することにより、前記一対の口金ピンと接触する一対の導電金具とを備え、
前記回転子は、さらに、
前記側面部に設けられた一対の接触片であって、前記一対の口金ピンと前記一対の導電金具とが接触していない場合に、前記一対の導電金具と接触する一対の接触片と、
前記一対の接触片の各接触片同士を接続する接続部とを備え、
前記接続部は、
前記後面部における前記前面部の側の面と反対面に装着され、両側の端部に一対の爪部を有し、
前記一対の爪部は、
一方の爪部が前記後面部に形成された一対の孔の一方の孔に前記後面部から前記前面部に向かう挿入方向に挿入されており、前記後面部から露出した前記一方の爪部と一方の接触片とが接続したと共に、他方の爪部が前記一対の孔の他方の孔に前記挿入方向に挿入されており、前記後面部から露出した前記他方の爪部と他方の接触片とが接続したランプソケット。
【請求項２】
前記接続部は、
前記反対面に位置し、前記一対の爪部の各爪部同士を接続した連結部を備えた請求項１に記載のランプソケット。
【請求項３】
前記一対の口金ピンは、一方の口金ピンの位置と他方の口金ピンの位置とを結ぶ口金ピン方向ラインが前記回転子の中心軸を通るように配置され、
前記一対の接触片は、一方の接触片の位置と他方の接触片の位置とを結ぶ接触片方向ラインが前記口金ピン方向ラインと直交するように配置された請求項１または２に記載のランプソケット。
【請求項４】
請求項１から３のいずれか１項に記載のランプソケットと、前記ランプソケットに装着される直管形ランプを点灯させる点灯装置とを備えた照明器具。
【発明の詳細な説明】
【技術分野】
【０００１】
本発明は、直管形ＬＥＤランプの口金を装着するランプソケット及び照明器具に関する。
【背景技術】
【０００２】
口金ピンの先端が折り曲がっている直管形ＬＥＤランプを取り付けるランプソケットに関する技術がある（特許文献１参照）。
【先行技術文献】
【特許文献】
【０００３】
【特許文献１】特開２０１２−０１４８３１号公報
【発明の概要】
【発明が解決しようとする課題】
【０００４】
従来、直管形ＬＥＤランプを複数使用している照明器具において、複数の直管形ＬＥＤランプの接続方法が直列接続である場合、間引き点灯しようと１灯でも直管形ＬＥＤランプを外したときに点灯回路が開放となり、すべての直管形ＬＥＤランプが不点灯となる。そのため、直管形ＬＥＤランプを外しても点灯回路が構成できるようにするための、直管形ＬＥＤランプを外した側の給電側ランプソケットの電極間を短絡するコネクタなどが必要となるという課題があった。
【０００５】
本発明は、直管形ＬＥＤランプを外したときに、給電用ランプソケットの電極を短絡するコネクタなどを新たに接続することなく、間引き点灯できる照明器具を提供することを目的とする。
【課題を解決するための手段】
【０００６】
本発明に係るランプソケットは、一対の口金ピンを端部に備えた直管形ランプを装着するランプソケットにおいて、前面と側面とを有する円柱形の回転子であって、前記前面から前記一対の口金ピンが挿入されるとともに前記一対の口金ピンの各口金ピンの一部が前記側面から露出する回転子と、前記回転子を挟むように設けられた一対の導電金具であって、前記回転子が円柱形の周方向に回転することにより、前記一対の口金ピンと接触する一対の導電金具とを備え、前記回転子は、さらに、前記側面に設けられた一対の接触片であって、前記一対の口金ピンと前記一対の導電金具とが接触していない場合に、前記一対の導電金具と接触する一対の接触片と、前記一対の接触片の各接触片同士を接続する接続片とを備えることを特徴とする。
【発明の効果】
【０００７】
本発明に係るランプソケットは、一対の口金ピンを端部に備えた直管形ランプを装着するランプソケットにおいて、前面と側面とを有する円柱形の回転子であって、前記前面から前記一対の口金ピンが挿入されるとともに前記一対の口金ピンの各口金ピンの一部が前記側面から露出する回転子と、前記回転子を挟むように設けられた一対の導電金具であって、前記回転子が円柱形の周方向に回転することにより、前記一対の口金ピンと接触する一対の導電金具とを備え、前記回転子は、さらに、前記側面に設けられた一対の接触片であって、前記一対の口金ピンと前記一対の導電金具とが接触していない場合に、前記一対の導電金具と接触する一対の接触片と、前記一対の接触片の各接触片同士を接続する接続片とを備えるので、直管形ランプを外したときに、前記一対の導電金具を短絡することができ、点灯回路の構成を維持することができるという効果を奏する。
【図面の簡単な説明】
【０００８】
【図１】実施の形態１に係る照明器具１００の斜視図である。
【図２】実施の形態１に係る直管形ＬＥＤランプ３０を示す図であり、（ａ）は直管形ＬＥＤランプ３０の斜視図であり、（ｂ）は給電用口金３１を示す図である。
【図３】実施の形態１に係る給電側ランプソケット４０の斜視図である。
【図４】実施の形態１に係る回転子４１の斜視図である。
【図５】実施の形態１に係る回転子４１の斜視図であり、（ａ）は接触部９０を除いた状態の図、（ｂ）は（ａ）の分解斜視図である。
【図６】実施の形態１に係る給電側ランプソケット４０の内部構造を示す図であり、（ａ）は給電用口金３１の挿入時の内部の状態を示す図、（ｂ）は給電用口金３１を挿入して回転している状態を示す図、（ｃ）は給電用口金３１が給電側ランプソケット４０に固定された状態を示す図である。
【図７】実施の形態２に係る回転子４０１の斜視図であり、（ａ）は組み立てた状態の斜視図であり、（ｂ）は（ａ）の分解斜視図である。
【図８】実施の形態２に係る給電側ランプソケット４００の内部構造を示す図であり、（ａ）は給電用口金３１の挿入時の内部の状態を示す図、（ｂ）は給電用口金３１を挿入して回転している状態を示す図、（ｃ）は給電用口金３１が給電側ランプソケット４０に固定された状態を示す図である。
【図９】実施の形態３に係る回転子４０１ａの接触部９０の位置のバリエーションを示す図である。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明器具１００の斜視図である。本実施の形態に係る照明器具１００は、灯具本体２０と、直管形ＬＥＤランプ３０と、給電側ランプソケット４０と、接地側ランプソケット５０とを備える。直管形ＬＥＤランプ３０は、給電側ランプソケット４０に装着する給電用口金３１と、接地側ランプソケット５０に装着される接地用口金３２とを備える。照明器具１００は、２本の直管形ＬＥＤランプ３０を並列に配置して装着するタイプの照明器具である。
【００１１】
灯具本体２０は、例えば、天井面に取り付けられ、内部に直管形ＬＥＤランプ３０を点灯させるための電力供給源としての点灯装置を収納する。
【００１２】
図２は、本実施の形態に係る直管形ＬＥＤランプ３０を示す図であり、（ａ）は直管形ＬＥＤランプ３０の斜視図であり、（ｂ）は給電用口金３１を示す図である。図２（ａ）に示すように、直管形ＬＥＤランプ３０は、両側に端部を備え、一方の端部に接地のための口金である接地用口金３２を備えるとともに、他方の端部に給電のための給電用口金３１を備える。直管形ＬＥＤランプ３０は、円筒形のケース３０ａを備え、ケース３０ａの内部には長形のＬＥＤモジュール（図示なし）が収納されている。
【００１３】
図２（ｂ）に示すように、直管形ＬＥＤランプ３０は、給電用口金３１に一対の給電ピン３４（口金ピン）を備える。本実施の形態に係る直管形ＬＥＤランプ３０は、円管状（円筒形状）のケース３０ａ（発光部）と、このケース３０ａの長手方向の一端側に設けられる接地用口金３２と、同じくケース３０ａの長手方向の他端側に設けられる給電用口金３１とを備える。
【００１４】
図２（ａ）に示すように、接地用口金３２は、口金の中心に１極の電極である接地ピン３２ａを備える。接地ピン３２ａは、直管形ＬＥＤランプ３０の金属部分と照明器具１００とを接続して接地させることを目的とする。
【００１５】
図２（ｂ）に示すように、給電用口金３１は、口金の端面３３（直管ＬＥＤランプの他端部の円部）に一対のＬ字型の給電ピン３４を有する。一対の給電ピン３４は、一方が正極側、他方が負極側に接続されており、直管形ＬＥＤランプ３０に給電することを目的としたものである。直管形ＬＥＤランプ３０は、片側の口金（給電用口金３１）からの給電（給電側ランプソケット４０からの給電）となっている。
【００１６】
一対の給電ピン３４は、端面３３からランプ軸方向へ延びている２極の電極である。給電ピン３４は、端面３３の面上に設けられたＬ字型の導電ピンであり、Ｌ字形をなし、ランプ軸方向へ延びる軸部３５と、軸部３５の先端部から外側（端面の中央から周縁に向かう方向）に垂直に折り曲げられた折り曲げ部３６とを備える。折り曲げ部３６の先端部をピン先端部３７とする。
【００１７】
一対の給電ピン３４は、給電側ランプソケット４０を介して照明器具１００の備える点灯装置（電源装置）（図示なし）に接続され、直管形ＬＥＤランプ３０の内部に収納されているＬＥＤモジュールに電力を供給する。
【００１８】
点灯装置から引き出された２本の電線（図示なし）は、２つの給電側ランプソケット４０にそれぞれ接続される。また、２つの給電側ランプソケット４０同士は、電線で接続される。２本の直管形ＬＥＤランプ３０が給電側ランプソケット４０にそれぞれ取り付けられた状態では、点灯装置に対して、２本の直管形ＬＥＤランプ３０は電気的に直列接続された状態となっている。つまり、照明器具１００は、点灯装置と２本の直管形ＬＥＤランプ３０とが直列に接続された点灯回路を構成する。
【００１９】
図３は、本実施の形態に係る給電側ランプソケット４０の斜視図である。図４は、本実施の形態に係る回転子４１の斜視図である。図５は、本実施の形態に係る回転子４１の斜視図であり、（ａ）は接触部９０を除いた状態の図、（ｂ）は（ａ）の分解斜視図である。図３〜図５を用いて、本実施の形態に係る給電側ランプソケット４０の回転子４１の構造について説明する。
【００２０】
図３に示すように、給電側ランプソケット４０は、ドーム形状（かまぼこ形状）の筐体４５を備える。筐体４５は、直管形ＬＥＤランプ３０の給電用口金３１を挿入する側の面（挿入面４５ａ）と、挿入面４５ａに対向する面である反挿入面４５ｃと、挿入面４５ａと反挿入面４５ｃとの間の一対の側面４５ｂとドーム状のドーム面４５ｅとを備える。また、灯具本体２０に取り付けられる取付面４５ｄを備え、取付面４５ｄには筐体４５の内部に電線を挿入するための電線挿入部８５を備える。取付面４５ｄに対向する面がドーム面４５ｅとなる。
【００２１】
挿入面４５ａには開口が形成され、開口の内部には、挿入された給電ピン３４を支える回転子４１が配置されている。挿入面４５ａの開口には回転子４１の前面部４２が配置される。回転子４１の前面部４２には給電用口金３１の一対の給電ピン３４（図２参照）を挿入する挿入溝４６が形成される。
【００２２】
図４に示すように、回転子４１は、前面部４２と側面部４４と後面部４３とを有する円柱形である。前面部４２と後面部４３との形状は円形であり、略等しい。また、側面部４４の断面形状は、前面部４２及び後面部４３の円形形状より小さい円形形状となっている。つまり、側面部４４の端面の周縁部から前面部４２及び後面部４３の周縁が突き出している形状である。
【００２３】
回転子４１は、前面部４２に一対の給電ピン３４を挿入する挿入開口部４６ａと、挿入開口部４６ａから側面部４４にわたって切り欠かれた側面切り欠き部４６ｂとを備える。挿入開口部４６ａと側面切り欠き部４６ｂとを合わせて挿入溝４６という。
【００２４】
図４において２点鎖線で示した構成部は、一対の給電ピン３４である。一対の給電ピン３４が挿入溝４６に挿入された場合の給電ピン３４の配置を示している。給電ピン３４は、挿入開口部４６ａから挿入されるとともに側面切り欠き部４６ｂに挿入される。そして、折り曲げ部３６の一部が側面部４４から露出する。一方の給電ピン３４に対向する位置に他方の給電ピン３４が配置される。
【００２５】
図４に示すように、一方の給電ピン３４と他方の給電ピン３４とは、Ｌ１ライン上に配置される。Ｌ１ラインは、回転子４１の前面部４２を略２等分するラインである。あるいは、Ｌ１ラインは、回転子４１の前面部４２の直径上のラインである。つまり、一方の給電ピン３４と他方の給電ピン３４とは、回転子４１の前面部４２の略中心（回転子４１の中心軸）を通る直線上（Ｌ１ライン上）に配置される。一方の給電ピン３４と他方の給電ピン３４とは、回転子４１の前面部４２の略中心に対して点対称な位置に配置される。
【００２６】
図４に示すように、側面部４４には、接触部９０（接触片）を備える。回転子４１は、側面部４４において、前面部４２の略中心を通る直線上（Ｌ２ライン上）に対応する位置に２つの接触部９０を備える。図４では、一方の接触部９０のみが図示されている。つまり、一対の接触部９０の一方の接触部９０と他方の接触部９０とは、回転子４１の前面部４２の略中心を通る直線（回転子４１の中心軸を通る直線）であって、Ｌ１ラインと直交する直線上（Ｌ２ライン上）に配置される。
【００２７】
本実施の形態では、給電ピン３４の先端に折り曲げ部３６を備えている給電用口金３１について説明したが、口金が他の形状であってもよい。例えば、口金Ｇ１３を使用した直管ＬＥＤランプを用いた照明器具においても本実施の形態は適用可能である。
【００２８】
また、回転子４１は、側面部４４上に一対の接触部９０を備える。一対の接触部９０は、側面部４４において、Ｌ１ラインに直交するＬ２ラインに対応するライン上に配置される。つまり、一対の給電ピン３４と一対の接触部９０とは、側面部４４において側面部４４の断面の中心角９０°の４カ所に対応する位置に、交互に配置される。
【００２９】
図５（ａ）は、接触部９０を除いた状態の回転子４１を示す図である。図５（ａ）に示すように、後面部４３には、一対の接触部９０に対応する位置に一対のスリット部４３ａが形成されている。図５では、後面部４３は前面部４２より大きい円形形状となっているが、図４に示すように後面部４３と前面部４２とが略同一の円形形状でもよいし、図５に示すように後面部４３が前面部４２より大きい円形形状であるとしてもよい。
【００３０】
また、図５（ｂ）に示すように、回転子４１は、短絡用金具９１（接続部）を備える。短絡用金具９１は、リング状の連結部９１ｂと、連結部９１ｂの両端部に設けられた一対の接続用爪部９１ａとを備える。短絡用金具９１は、接続用爪部９１ａを後面部４３のスリット部４３ａに貫通させて、回転子４１の後面部４３に装着される。
【００３１】
短絡用金具９１が回転子４１に装着されると、接続用爪部９１ａの金具先端９１ｃが後面部４３の前面部４２側の面に露出する。そして、後面部４３から露出した金具先端９１ｃが接触部９０に接触する。離れて配置されている一対の接触部９０は、短絡用金具９１により電気的に接続される。本実施の形態に係る短絡用金具９１は、リング状の連結部９１ｂを備えるものとしたが、その他の形状でもよい。例えば、長板状の短絡用金具９１であってもよい。
【００３２】
図６は、本実施の形態に係る給電側ランプソケット４０の内部構造を示す図であり、（ａ）は給電用口金３１（図２参照）の挿入時の内部の状態を示す図、（ｂ）は給電用口金３１（図２参照）を挿入して回転している状態を示す図、（ｃ）は給電用口金３１が給電側ランプソケット４０に固定された状態を示す図である。内部構造を説明するために、給電用口金３１の給電ピン３４は、給電ピン３４の折り曲げ部３６の位置を点線で示している。図６を用いて、本実施の形態に係る給電側ランプソケット４０の構造について説明する。
【００３３】
図６（ａ）に示すように、給電側ランプソケット４０は、筐体４５の内部に、回転子４１を挟むように設けられた一対の導電金具８３を備える。一対の導電金具８３は、各導電金具８３が回転子４１の側面部４４と近接している。一対の導電金具８３は、筐体４５の内部に設けられた導電金具保持部８４により保持されている。
【００３４】
また、一対の導電金具８３同士は、筐体の一対の側面４５ｂと略平行に配置されている。一対の導電金具８３は、間隔を広げる力が加えられると、間隔を維持しようとする力が働く板バネである。
【００３５】
給電側ランプソケット４０の電線挿入部８５から電線が挿入されると、電線は導電金具８３における取付面４５ｄ側の端部（電線接触部８６）に接続される。
【００３６】
図６（ａ）に示す状態は、給電用口金３１が着脱可能な状態である。この状態で、挿入溝４６は、筐体４５の一対の側面４５ｂに対して略平行に位置している。あるいは、挿入溝４６は、一対の導電金具８３に対して略平行に位置している。このとき、給電用口金３１の一対の給電ピン３４を挿入すると、給電ピン３４の折り曲げ部３６は点線で示した位置に配置される。このように、給電用口金３１が着脱可能な状態では、２つの給電ピン３４と一対の導電金具８３とは接続されていない。
【００３７】
図６（ａ）に示すように、給電用口金３１が着脱可能な状態では、一対の接触部９０が一対の導電金具８３に接続している。Ｌ１ラインとは略直交するＬ２ライン上に一対の接触部９０が配置されているので、Ｌ２ラインと一対の導電金具８３（一対の側面４５ｂ）とは略直角に交わることになる。筐体４５のデザイン等の都合上、一対の側面４５ｂとＬ２ラインとは略直角とならない場合もある。また、一対の導電金具８３は板バネでもあり多少傾きを有しているので、一対の導電金具８３とＬ２ラインとは略直角とならない場合もある。
【００３８】
図６（ａ）の状態では、給電側ランプソケット４０は、直管形ＬＥＤランプ３０が接続されていないものの、点灯装置・電線・一方の導電金具８３・一方の接触部９０・短絡用金具９１・他方の接触部９０・他方の導電金具８３・電線・点灯装置の順に電気的に接続されている。つまり、一対の導電金具８３は導通しており、給電側ランプソケット４０は短絡している。
【００３９】
次に、図６を用いて、給電側ランプソケット４０に、直管形ＬＥＤランプ３０を着脱する方法及び構造について説明する。
【００４０】
図１に示す直管形ＬＥＤランプ３０を給電側ランプソケット４０及びアース側ランプソケット（接地側ランプソケット５０）へ取り付ける方法は、直管形ＬＥＤランプ３０を接地側ランプソケット５０へ挿した（長手方向に押し込み）後、給電側ランプソケット４０へ差し込む。このときの給電側ランプソケット４０の状態は、図６（ａ）の状態である。
【００４１】
図６（ａ）の状態から、回転子４１の周方向（例えば、Ｐ１方向）に直管形ＬＥＤランプ３０を回転している状態が図６（ｂ）である。図６（ｂ）の状態では、まだ、給電ピン３４の折り曲げ部３６は一対の導電金具８３に接触していない。また、図６（ｂ）の状態では、一対の接触部９０も一対の導電金具８３に接触しておらず、一対の導電金具８３は短絡していない状態である。しかし、例えば、折り曲げ部３６が一対の導電金具８３に接触していない状態では、必ず一対の接触部９０が一対の導電金具８３に接触するように、一対の接触部９０の周方向の長さを設定してもよい。直管形ＬＥＤランプ３０を９０°回転させると、図６（ｃ）の状態となる。
【００４２】
図６（ｃ）の状態（すなわち、一対の導電金具８３に２つの給電ピン３４が接触している状態）で、直管形ＬＥＤランプ３０は灯具本体２０に固定される。このように、本実施の形態に係る照明器具１００は、給電用口金３１の給電ピン３４を給電側ランプソケット４０の電極（一対の導電金具８３）へ接触させる回転式の照明器具である。
【００４３】
図６（ｃ）の状態では、２つの給電ピン３４が一対の導電金具８３に接続され、直管形ＬＥＤランプ３０に給電される。直管形ＬＥＤランプ３０を外す場合には、直管形ＬＥＤランプ３０を図６（ｃ）の状態からＰ２方向に９０°回転し、図６（ａ）の状態に戻して外す。このとき、一対の導電金具８３には、一対の接触部９０と短絡用金具９１とにより短絡される。したがって、直管形ＬＥＤランプ３０を外しても照明器具１００の点灯回路は開放されないので、外していない側の直管形ＬＥＤランプ３０は点灯を継続することが可能となる。
【００４４】
以上のように、本実施の形態に係る照明器具１００は、直管形ランプの口金が取り付けられ、直管形ランプの中心軸を回転軸として回転可能な回転子４１と、この回転子４１の回転軸の側壁（側面部４４）に設けられる２つの接触部９０と、回転子４１を挟む一対の導電金具８３とを有するランプソケット（給電側ランプソケット４０）を備える。この２つの接触部９０は、回転子４１の裏側で短絡用金具９１により接続されている。回転子４１は、直管形ランプの口金が挿入されるスリット（挿入溝４６）と、このスリット（挿入溝４６）の方向とほぼ垂直に交わる方向に延出した２つの接触部９０とを備える。回転子４１の位置が直管形ランプの着脱可能な位置となるときに、一対の導電金具８３と２つの接触部９０と、２つの接触部９０とを短絡させる短絡用金具９１とを有する。
【００４５】
本実施の形態では、直管形ＬＥＤランプ３０として、円管状（円筒形状）のケース（発光部）と、このケースの長手方向の一端側に設けられる接地用口金３２と、同じくケースの長手方向の他端側に設けられる給電用口金３１とを備えたランプを用いて説明した。しかし、直管ＬＥＤランプの口金には、直管蛍光灯の口金Ｇ１３を使用したものがある。本実施の形態に係る給電側ランプソケットでは、口金Ｇ１３を使用した直管ＬＥＤランプを用いた照明器具においても適用可能である。
【００４６】
以上のように、本実施の形態によれば、直列に接続された２つの直管形ＬＥＤランプ３０を備える照明器具１００から、一方の直管形ＬＥＤランプ３０が外されても、給電側ランプソケット４０は短絡する。したがって、照明器具１００の点灯装置は、他方の直管形ＬＥＤランプ３０に給電が可能となっている。
【００４７】
つまり、直管形ＬＥＤランプ３０用の点灯装置に定電流電源回路が適用されている場合、点灯装置に直列接続されている直管形ＬＥＤランプ３０の灯数によらず一定の電流を供給することができる。したがって、灯数が変化しても直管形ＬＥＤランプ３０の明るさが変化することがないという効果を奏する。
【００４８】
実施の形態２．
図７は、本実施の形態に係る回転子４０１の斜視図であり、（ａ）は組み立てた状態の斜視図であり、（ｂ）は（ａ）の分解斜視図である。図７は、実施の形態１において説明した図５に対応する図であり、図５と同一の機能を有する構成部については同一の符号を付し、その説明を省略する。
【００４９】
図７（ａ）に示すように、回転子４０１は、後面部４３の周縁近傍にスリット部４３ａを備える。図７（ａ）の後面部４３に示す点線は、前面部４２の形状を示すものである。スリット部４３ａは、前面部４２の周縁に対応する線（点線）よりも後面部４３の周縁側（外側）に位置している。スリット部４３ａからは、短絡用金具９１の金具先端９１ｃが露出している。
【００５０】
図７（ｂ）に示す短絡用金具９１は、実施の形態１で説明したものと比べて、２つのスリット部４３ａの間隔が広くなっているのに合わせて、短絡用金具９１の２つの接続用爪部９１ａの間隔も広くなるように形成される。また、本実施の形態に係る回転子４０１は、実施の形態１の回転子４１が備えている一対の接触部９０を備えていない。
【００５１】
図８は、本実施の形態２に係る給電側ランプソケット４０の内部構造を示す図であり、（ａ）は給電用口金３１（図２参照）の挿入時の内部の状態を示す図、（ｂ）は給電用口金３１（図２参照）を挿入して回転している状態を示す図、（ｃ）は給電用口金３１が給電側ランプソケット４０に固定された状態を示す図である。図８は、実施の形態１において説明した図６に対応する図であり、同様の機能を有する構成部には同一の符号を付し、その説明を省略する。
【００５２】
図８（ａ）〜図８（ｃ）に示すように、導電金具８３は、外側（後面部の周縁側）の面に回転子４０１の後面部４３に近接する導電金具接触面８３ａを備える。導電金具接触面８３ａは、例えば、導電金具８３の後面部４３側の縁部を外側に折り曲げることにより形成される。導電金具接触面８３ａは、導電金具８３から後面部４３の周縁近傍まで形成された面部であり、後面部４３と略平行に形成される。導電金具接触面８３ａは、後面部４３に近接あるいは当接している。
【００５３】
図８（ｃ）の状態は、直管形ＬＥＤランプ３０が給電側ランプソケット４０に取り付けられている状態である。このとき、後面部４３に露出する一対の短絡用金具９１の金具先端９１ｃは、一対の導電金具８３と接続されていない。
【００５４】
直管形ＬＥＤランプ３０を給電側ランプソケット４０から外す位置（図６（ａ）の状態）では、一対の導電金具接触面８３ａは、後面部４３の周縁近傍の一対の金具先端９１ｃを覆う位置に配置される。後面部４３からは一対の金具先端９１ｃが露出しており、一対の導電金具接触面８３ａは後面部４３に近接あるいは当接しているので、一対の金具先端９１ｃと一対の導電金具接触面８３ａとは電気的に接続される。
【００５５】
このように、一対の導電金具８３は、短絡用金具９１により短絡される。したがって、照明器具１００の点灯装置による点灯回路は開放されないので、外していない側の直管形ＬＥＤランプ３０は、点灯を継続することが可能となる。
【００５６】
以上のように、本実施の形態に係る照明器具１００は、回転子４０１の裏側に回転子４０１とともに回転する電極板（短絡用金具９１）を備える。この電極板は１つの板で構成され接触部（接続用爪部９１ａ）が２箇所ある。回転子４０１が直管形ＬＥＤランプ３０を外す位置にくると、後面部４３から露出した接触部（一対の接続用爪部９１ａの金具先端９１ｃ）が一対の導電金具８３の導電金具接触面８３ａに接触し、一対の導電金具８３を短絡する。
【００５７】
以上のように、給電側ランプソケット４０から１本の直管形ＬＥＤランプ３０が外されると、給電側ランプソケット４０は短絡するので、点灯装置は、給電側ランプソケット４０に接続されているもう１本の直管形ＬＥＤランプ３０に給電が可能となる。
【００５８】
実施の形態３．
図９は、本実施の形態に係る回転子４０２を示す図であり、（ａ）は一対の導電金具８３を短絡している状態、（ｂ）は一対の給電ピン３４（折り曲げ部３６）に給電されている状態を示している。図９は、回転子４０２と一対の導電金具８３とを模式化して示した図である。
【００５９】
実施の形態１では、回転子４１に支持される２つの給電ピン３４は、対向する位置（回転子４１を通るＬ１ライン上）に配置され、一対の導電金具８３を短絡する一対の接触部９０はＬ１ラインと略直交するＬ２ライン上に配置されるものとした。つまり、一対の給電ピン３４と一対の接触部９０とは、側面部４４において交互に配置されていた。しかし、例えば、口金形状が異なることにより、図９に示すように、一対の給電ピン３４が連続して隣同士に配置され、また、一対の接触部９０も連続して隣同士に配置されるような位置関係でも、本実施の形態は適用可能である。
【００６０】
以上、実施の形態１〜３について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、これらの実施の形態に限定されるものではなく、必要に応じて種々の変更が可能である。
【符号の説明】
【００６１】
２０  灯具本体、３０  直管形ＬＥＤランプ、３０ａ  ケース、３１  給電用口金、３２  接地用口金、３２ａ  接地ピン、３３  端面、３４  給電ピン、３５  軸部、３６  折り曲げ部、３７  ピン先端部、４０  給電側ランプソケット、４１  回転子、４２  前面部、４３  後面部、４３ａ  スリット部、４４  側面部、４５  筐体、４５ａ  挿入面、４５ｂ  側面、４５ｃ  反挿入面、４５ｄ  取付面、４５ｅ  ドーム面、４６  挿入溝、４６ａ  挿入開口部、４６ｂ  側面切り欠き部、５０  接地側ランプソケット、８３  導電金具、８４  導電金具保持部、８５  電線挿入部、８６  電線接触部、９０  接触部、９１  短絡用金具、９１ａ  接続用爪部、９１ｂ  連結部、９１ｃ  金具先端、１００  照明器具、４０１，４０２  回転子。
【図１】
0005968045.tif 000002
【図２】
0005968045.tif 000003
【図３】
0005968045.tif 000004
【図４】
0005968045.tif 000005
【図５】
0005968045.tif 000006
【図６】
0005968045.tif 000007
【図７】
0005968045.tif 000008
【図８】
0005968045.tif 000009
【図９】
0005968045.tif 000010